(57)【特許請求の範囲】
【請求項１】
扉枠の縦枠内面に取付けられる枠側ヒンジ片と、扉の吊り元側の側面に設けられる扉側ヒンジ片と、前記枠側ヒンジ片と扉側ヒンジ片を開閉自在に連結する支点軸と、前記扉の吊り元側の側面に形成された切欠部内に固定され、前記扉側ヒンジ片の表裏両面に沿って前記支点軸と直交する前後方向に位置調整可能に支持された調整枠体と、その調整枠体の前記扉の開放によって外部に露出する表面カバーの表面側に操作部が臨み、その操作部の回転操作により調整枠体を扉と共に前後方向に位置調整する前後位置調整手段とを備えてなる調整蝶番において、
前記扉側ヒンジ片の枠側ヒンジ片に対向する閉鎖状態で扉側ヒンジ片の支点軸側の側部に枠側ヒンジ片に向く屈曲部を形成して、その屈曲部から支点軸側に傾斜片部と屈曲部から開閉側端部に枠側ヒンジ片に平行する案内板部を設け、その案内板部の表裏両面に沿って前記調整枠体を前後方向に位置調整可能に支持し、前記調整枠体における表面カバーの表面に前記扉の閉鎖状態で前記枠側ヒンジ片を収容可能とする凹段部を設けたことを特徴とする調整蝶番。
【発明の詳細な説明】
【技術分野】
【０００１】
この発明は、建屋の出入口を開閉する扉や家具の扉等の扉を開閉自在に支持し、その支持した扉の閉鎖状態で扉の前後方向の位置を調整することができるようにした調整蝶番に関する。
【背景技術】
【０００２】
この種の調整蝶番として、特許文献１に記載されたものが従来から知られている。その特許文献１に記載された調整蝶番においては、扉枠の縦枠内面に取付けられる枠側ヒンジ片と扉の吊り元側の側面に対向配置される扉側ヒンジ片を支点軸により開閉自在とし、扉の吊り元側の側面に取付けられる調整枠体を扉側ヒンジ片の表裏両面に沿って支点軸と直交する前後方向に位置調整可能に支持し、上記調整枠体の内部に組込まれた前後位置調整手段の操作部を表面カバーに形成された操作用窓から回動操作可能とし、その操作部の回転操作によって扉の前後方向に位置調整するようにしている。
【０００３】
ここで、前後位置調整手段として、下記の構成ａおよびｂからなるものが記載されている。
ａ；調整枠体に円形孔を形成し、その円形孔内に組込まれた回転不能な円盤に外周一側部から中心に向けて延びるガイド孔を形成し、かつ円盤の背面上部に支点軸と直交する方向に延びるラック歯を設け、そのラック歯に噛合するピニオンに操作部としての突軸を設け、その突軸を上記ガイド孔から扉側ヒンジ片に形成された表裏に貫通する貫通孔内に挿入し、上記調整枠体の表面カバーには貫通孔と対向する位置に操作用窓を設けた構成として、上記操作用窓から突軸を回動し、その突軸と共に回転するピニオンの回転により調整枠体を扉と共に前後方向に移動させるようにしている。
ｂ；調整枠体に円形のカム嵌合孔を設け、そのカム嵌合孔内に偏心カムを組込み、その偏心カムの外径面の中心に対する偏心位置に操作部としての突軸を設け、その突軸を扉側ヒンジ片に形成された上下方向に長い長孔内に挿入し、上記調整枠体の表面カバーには長孔と対向する位置に操作用窓を設けた構成として、上記操作用窓から突軸を回動操作して偏心カムを回転させると共に、突軸を長孔に沿って移動させて、調整枠体を扉と共に前後方向に移動させるようにしている。
【０００４】
図７および図８は、上記特許文献１に記載された調整蝶番Ｙによって扉枠Ａの開口ａを開閉する扉Ｂの支持状態を示し、調整蝶番Ｙの枠側ヒンジ片１は扉枠Ａの縦枠ｂの内面ｃに取付けられ、扉側ヒンジ片２によって支点軸３と直交する方向に向けて移動自在に支持された調整枠体４が扉Ｂの吊り元側の側面ｄに設けられた切欠部５内に嵌合されて扉Ｂに取付けられている。
【０００５】
ここで、切欠部５として、図７では、扉Ｂの内表面側を閉塞端とする凹部からなるものが示され、一方、図８では、扉Ｂの外表面から内表面に貫通する溝状のものが示されている。図８に示すように、切欠部５を溝状とすると、調整蝶番Ｙの上下を反転することにより、右勝手用から左勝手用、または、左勝手用から右勝手用に変更することができるため、右勝手用と左勝手用の２種類の調整蝶番を作る必要がなく、経済的である。
【０００６】
図７および図８のいずれの場合も、扉Ｂを開放した状態で、前後位置調整手段の操作部を操作して、扉Ｂの前後方向の位置を調整するようにしている。
【先行技術文献】
【特許文献】
【０００７】
【特許文献１】特開２００１−２７１５４９号公報
【発明の概要】
【発明が解決しようとする課題】
【０００８】
ところで、特許文献１に記載された調整蝶番においては、図７および図８に示すように、扉Ｂを閉鎖する状態において、扉Ｂの吊り元側の側面ｄと扉枠Ａの縦枠ｂの内面ｃ間に枠側ヒンジ片１の板厚に相当する間隙が形成されることになり、気密性に優れた体裁の良好な扉装置を得ることができないという不都合がある。
問題がある。
【０００９】
この発明の課題は、扉枠の縦枠内面と閉鎖状態の扉の吊り元側の側面間に形成される間隙の狭小化を図ることができるようした調整蝶番を提供することである。
【課題を解決するための手段】
【００１０】
上記の課題を解決するために、この発明においては、扉枠の縦枠内面に取付けられる枠側ヒンジ片と、扉の吊り元側の側面に設けられる扉側ヒンジ片と、前記枠側ヒンジ片と扉側ヒンジ片を開閉自在に連結する支点軸と、前記扉の吊り元側の側面に形成された切欠部内に固定され、前記扉側ヒンジ片の表裏両面に沿って前記支点軸と直交する前後方向に位置調整可能に支持された調整枠体と、その調整枠体の前記扉の開放によって外部に露出する表面カバーの表面側に操作部が臨み、その操作部の回転操作により調整枠体を扉と共に前後方向に位置調整する前後位置調整手段とを備えてなる調整蝶番において、前記扉側ヒンジ片の枠側ヒンジ片に対向する閉鎖状態で扉側ヒンジ片の支点軸側の側部に枠側ヒンジ片に向く屈曲部を形成して、その屈曲部から支点軸側に傾斜片部と屈曲部から開閉側端部に枠側ヒンジ片に平行する案内板部を設け、その案内板部の表裏両面に沿って前記調整枠体を前後方向に位置調整可能に支持し、前記調整枠体における表面カバーの表面に前記扉の閉鎖状態で前記枠側ヒンジ片を収容可能とする凹段部を設けた構成を採用したのである。
【００１１】
上記の構成からなる調整蝶番によって扉を開閉自在に支持する場合は、扉枠の縦枠内面に枠側ヒンジ片を取付け、扉の吊り元側の側面に扉側ヒンジ片により位置調整自在に支持された調整枠体を取付けて扉を開閉自在に支持する。上記調整枠体の取付けに際しては、扉の吊り元側の側面に、その調整枠体が嵌合可能な切欠部を形成し、その切欠部内に調整枠体を組込んで扉に固定して、表面カバーの高段側の表面が扉の吊り元側の側面とほぼ同一となる取付けとする。
【００１２】
上記のような扉の支持状態において、扉を閉鎖すると、調整枠体の表面カバーに形成された凹段部内に枠側ヒンジ片が収容され、扉の吊り元側の側面と扉枠の縦枠内面間に扉側ヒンジ片の板厚より小さな間隙が形成されることになる。
【発明の効果】
【００１３】
この発明においては、上記のように、調整枠体の表面カバーの表面に枠側ヒンジ片を収容可能とする凹段部を形成したことにより、枠側ヒンジ片に向けて扉側ヒンジ片を回動して調整蝶番を閉鎖状態とすると、表面カバーの凹段部内に枠側ヒンジ片が収容されるため、扉枠の縦枠内面に枠側ヒンジ片を取付け、扉の吊り元側の側面に形成された切欠部内に調整枠体を組込んで取付けて扉を開閉自在に支持することにより、閉鎖状態の扉の吊り元側の側面と扉枠の縦枠内面間に形成される間隙の大きさを枠側ヒンジ片の板厚以下とすることができ、気密性に優れた体裁のよい扉の支持状態を得ることができる。
【図面の簡単な説明】
【００１４】
【図１】この発明に係る調整蝶番の開放状態を示す正面図
【図２】図１のII−II線に沿った断面図
【図３】図１のIII−III線に沿った断面図
【図４】図１のIV−IV線に沿った断面図
【図５】図１に示す調整蝶番の分解斜視図
【図６】図１に示す調整蝶番の閉鎖状態を示す平面図
【図７】従来の調整蝶番の使用の一例を示す平面図
【図８】従来の調整蝶番の使用の他の例を示す平面図
【発明を実施するための形態】
【００１５】
以下、この発明の実施の形態を図面に基づいて説明する。図１および図２に示すように、この発明に係る調整蝶番は、枠側ヒンジ片１０と、扉側ヒンジ片２０と、その両ヒンジ片１０、２０を開閉自在に連結する支点軸３０を有している。
【００１６】
枠側ヒンジ片１０および扉側ヒンジ片２０は板体からなり、その一側部には同軸上に配置される筒部１１、２１が設けられている。支点軸３０は、同軸上に配置された筒部１１、２１内に挿入され、その支点軸３０を中心にして枠側ヒンジ片１０と扉側ヒンジ片２０が開閉自在とされている。
【００１７】
枠側ヒンジ片１０には表裏に貫通する複数の取付孔１２が形成され、その取付孔１２から扉枠１の縦枠ｂに打込まれる釘や縦枠ｂにねじ込まれる木ねじ等によって縦枠ｂが取付けられる。
【００１８】
図６は、枠側ヒンジ片１０に扉側ヒンジ片２０が対向する蝶番の閉鎖状態を示し、その閉鎖状態において、扉側ヒンジ片２０の支点軸３０側の側部には枠側ヒンジ片１０に向く屈曲部２２が形成されている。上記屈曲部２２の形成により、その屈曲部２２から支点軸３０側に傾斜片部２３と、屈曲部２２から開閉側端側に枠側ヒンジ片１０にほぼ平行する案内板部２４とが設けられている。
【００１９】
図１および図２に示すように、扉側ヒンジ片２０の案内板部２４には調整枠体４０が設けられている。図３乃至図５に示すように、調整枠体４０は、ベース部材４１と、そのベース部材４１の裏面に衝合される座板４２と、上記ベース部材４１の表面を覆う表面カバー４３とからなっている。
【００２０】
ベース部材４１には、その一側面で開口する矩形状の凹入部４４が形成され、その凹入部４４内に扉側ヒンジ片２０の案内板部２４が挿入されている。また、ベース部材４１の凹入部４４には、扉側ヒンジ片２０の案内板部２４の片面と対向する背面壁４４ａに一対のビス挿入孔４５が上下方向に間隔をおいて形成されている。
【００２１】
一方、扉側ヒンジ片２０の案内板部２４には、そのビス挿入孔４５のそれぞれと対向する位置に左右方向に長い長孔２５が形成され、その長孔２５からビス挿入孔４５内に挿通されて座板４２に形成されたねじ孔４６にねじ込まれるビス４７の締め付けにより扉側ヒンジ片２０にベース部材４１および座板４２が結合され、上記ビス４７を緩めることによって、ベース部材４１および座板４２を案内板部２４の片面に沿って支点軸３０と直交する前後方向に位置調整し得るようになっている。
【００２２】
ベース部材４１の扉側ヒンジ片２０と対向する表面の他側部には上下方向に長く延びて扉側ヒンジ片２０の他側面と対向する突出部４８が設けられている。
【００２３】
表面カバー４３はベース部材４１の表面全体を覆うことができる大きさとされ、その他側部にはベース部材４１の突出部４８を包み込む折曲げ部４９が形成されている。その折曲げ部４９の形成によって表面カバー４３の表面側には、折曲げ部４９の一側方に凹段部５０が設けられ、この横断部５０は、枠側ヒンジ片１０のほぼ全体を収容可能とする大きさとされている。
【００２４】
図２および図５に示すように、ベース部材４１、座板４２および表面カバー４３のそれぞれ４隅部には取付孔５１が形成され、その取付孔５１内に挿通されて扉Ｂの吊り元側の側面にねじ込まれるねじ５２により、ベース部材４１、座板４２および表面カバー４３のそれぞれが結合されて調整枠体４０を形成すると共に、その調整枠体４０が扉Ｂへの取付けとされる。
【００２５】
図３および図５に示すように、表面カバー４３には、ベース部材４１および座板４２を扉側ヒンジ片２０に固定する前述のビス４７の頭部４７ａと対向する位置に、ビス４７の回動操作用の孔５３が形成されている。
【００２６】
調整枠体４０は、ビス４７を緩めることによって、扉側ヒンジ片２０の表裏面に沿って支点軸３０と直交する前後方向および扉側ヒンジ片２０の表面と接近離反する左右方向の２方向に位置調整可能とされ、図１および図４に示す前後位置調整手段６０によって前後方向に位置調整される。また、図１および図３に示す左右方向位置調整手段７０によって左右方向に位置調整される。
【００２７】
前後位置調整手段６０は、前述の特許文献１に記載された前後位置調整手段と同一構成のものを採用しているため、その詳細を省略している。図４で示す前後位置調整６０においては、ベース部材４１における凹入部４４の背面壁４４ａに円形孔６１を形成し、その円形孔６１内に回転不能に組込まれた円盤６２の外周一側部から中心に向けて延びるガイド孔６３を設け、かつ円盤６２の背面上部に支点軸３０と直交する方向に延びるラック歯（図示省略）を設け、そのラック歯に噛合するピニオン６４に操作部としての突軸６５を設け、その突軸６５を上記ガイド孔６３から扉側ヒンジ片２０に形成された表裏に貫通する貫通孔６６内に挿入し、調整枠体４０の表面カバー４３には貫通孔６６と対向する位置に左右方向に長い操作用窓６７を設けた構成として、上記操作用窓６７から突軸６５を回動し、その突軸６５と共に回転するピニオン６４の回転により調整枠体４０を前後方向に移動させるようにしている。
【００２８】
なお、前後位置調整手段６０は上記構造のものに限定されない。例えば、ベース部材４１に円形のカム嵌合孔を設け、そのカム嵌合孔内に偏心カムを組込み、その偏心カムの外径面の中心に対する偏心位置に操作部としての突軸を設け、その突軸を扉側ヒンジ片に形成された上下方向に長い長孔内に挿入し、上記調整枠体の表面カバーには長孔と対向する位置に操作用窓を設けた構成として、上記操作用窓から突軸を回動操作して偏心カムを回転させると共に、突軸を長孔に沿って移動させて、調整枠体を前後方向に移動させるようにしている。
【００２９】
図３および図５に示すように、左右方向位置調整手段７０は、ベース部材４１における凹入部４４の背面壁４４ａに一対の頭部収容孔７１を上下に間隔をおいて形成し、座板４２にはその頭部収容孔７１と対向する位置にねじ孔７２を設け、そのねじ孔７２にねじ係合された調整ねじ７３の丸形頭部７３ａを上記頭部収容孔７１内に収容し、扉側ヒンジ片２０には上記頭部収容孔７１と対向する位置に調整ねじ７３の頭部７３ａ外径より幅寸法の小さい横長孔７４を形成し、調整枠体４０の表面カバー４３には上記横長孔７４と対向する位置に操作孔７５を設け、その操作孔７５から調整ねじ７３を回動して、調整枠体４０を扉側ヒンジ片２０の表裏面と直交する方向に移動させるようにしている。
【００３０】
ここで、図３に示すδ１は、調整枠体４０の左右方向調整幅を示し、また、図４に示すδ２は、調整枠体４０の前後方向調整幅を示す。
【００３１】
実施の形態で示す調整蝶番は上記の構造からなり、扉の支持に際しては、図１および図２に示すように、扉枠Ａの縦枠ｂ内面に枠側ヒンジ片１０を取付け、扉Ｂの吊り元側の側面に扉側ヒンジ片２０により位置調整自在に支持された調整枠体４０を取付けて扉Ｂを開閉自在に支持する。上記調整枠体４０の取付けに際しては、扉Ｂの吊り元側の側面に、その調整枠体４０が嵌合可能な切欠部５を形成し、その切欠部５内に調整枠体４０を組込んで扉Ｂに固定し、表面カバーの折曲げ部４９の表面が扉Ｂの吊り元側の側面とほぼ同一となる取付けとする。
【００３２】
ここで、扉Ｂの側面に形成する切欠部５は、扉Ｂの外表面から内表面に貫通する溝状のものであってもよく、扉Ｂの内表面側を閉塞端とする凹部からなるものであってもよい。
【００３３】
上記のような扉Ｂの支持状態において、扉Ｂを左右方向に位置調整する必要がある場合には、図２に示すように、扉Ｂを開放した状態において、図３に示すビス４７を緩め、調整ねじ７３の回転により扉Ｂに固定された調整枠体４０を扉側ヒンジ片２０の表裏面と直交する方向（図３の上下方向）に移動させる。
【００３４】
また、扉Ｂを前後方向に位置調整する必要が有る場合には、図２に示すように、扉Ｂを開放した状態において、図３に示すビス４７を緩め、図４に示す突軸６５の回動操作によりピニオン６４を回転させ、調整枠体４０を扉側ヒンジ片２０の案内板部２４の表裏両面に沿って支点軸３０と直交する方向（図４の左右方向）に移動させる。
【００３５】
上記のような扉の位置調整後は、図３に示すビス４７を締付けて、扉側ヒンジ片２０に調整枠体４０を固定する。ここで、調整枠体４０の表面カバー４３の表面には凹段部５０が形成されているため、扉Ｂを閉鎖すると、図６に示すように、上記凹段部５０内に枠側ヒンジ片１０が収容されることになる。
【００３６】
上記のように、扉Ｂの閉鎖状態では、枠側ヒンジ片１０が表面カバー４３の凹段部５０内に収容されるため、閉鎖状態の扉Ｂの吊り元側の側面と扉枠Ａの縦枠ｂ内面間に形成される間隙の大きさを枠側ヒンジ片１０の板厚以下の幅寸法とすることができ、気密性に優れた体裁のよい扉の支持状態を得ることができる。
【符号の説明】
【００３７】
Ａ    扉枠
ｂ    縦枠
Ｂ    扉
５    切欠部
１０  枠側ヒンジ片
２０  扉側ヒンジ片
３０  支点軸
４０  調整枠体
４３  表面カバー
５０  凹段部
６０  前後位置調整手段
６５  突軸（操作部）
【図１】
0005654790.tif 000002
【図２】
0005654790.tif 000003
【図３】
0005654790.tif 000004
【図４】
0005654790.tif 000005
【図５】
0005654790.tif 000006
【図６】
0005654790.tif 000007
【図７】
0005654790.tif 000008
【図８】
0005654790.tif 000009